(57)【要約】  【課題】  複雑な入力を行える高価な制御パネルを設けることがコスト的に難しい比較的安価な器具への駆動条件の入力を行う場合に、複雑な駆動条件を確実かつ安価に必要な情報を入力できるようにする。  【解決手段】  駆動条件入力装置１は、１次元コード又は２次元コードの情報コード３を読み取る情報コード読取部４と、読み取った情報コード３をデコードするデコード部５と、デコード部５によって得られた駆動情報に基づいて器具２の駆動部６を制御する制御部７とを備えている。駆動条件入力装置１は、駆動部６によって所定の機能を実現する器具２に予め搭載されており、情報コード３は駆動部６によって定められる器具２の駆動条件を表現するものとして予めコード化されている。また、情報コード読取部４は情報コード３を光学的に読み取る構成である。【選択図】  図１
2015230661.tif 000002
【特許請求の範囲】
【請求項１】
１次元コード又は２次元コードの情報コード(３)を読み取る情報コード読取手段(４)と、読み取った情報コード(３)をデコードするデコード手段(５)と、前記デコード手段(５)によって得られた駆動情報に基づいて器具(２)の駆動手段(６)を制御する制御手段(７)と、を備えた器具(２)の駆動条件入力装置(１)であって、
前記駆動条件入力装置(１)は、前記駆動手段(６)によって所定の機能を実現する器具２に予め搭載されており、
前記情報コード(３)は前記駆動手段(６)によって定められる前記器具(２)の駆動条件を表現するものとして予めコード化されており、
前記情報コード読取手段(４)は前記情報コード(３)を光学的に読み取るものであることを特徴とする駆動条件入力装置。
【請求項２】
請求項１に記載の駆動条件入力装置において、前記情報コード読取手段(４)をユニット化した情報読取ユニット手段(１０)を有し、前記情報読取ユニット手段(１０)が前記器具(２)から着脱自在に構成されている駆動条件入力装置。
【請求項３】
請求項２に記載の駆動条件入力装置において、前記器具(２)側に状況把握センサ(８)を設け、前記制御手段(７)が前記駆動条件(６)を制御する場合に、前記状況把握センサ(８)が検出した状況把握情報を利用する駆動条件入力装置。
【請求項４】
請求項２〜請求項３のいずれか一つに記載の駆動条件入力装置において、前記情報読取ユニット手段(１０)が携帯蓄電池や乾電池等の携帯型電池によって駆動される駆動条件入力装置。
【請求項５】
請求項１〜請求項４のいずれか一つに記載の駆動条件入力装置において、冷却服(２８)に設けられた冷却通路２９に冷媒を流す構成の冷却服(２８)に採用され、前記冷却通路(２９)の流れを制御するポンプなどの駆動手段(６)に駆動条件を設定するように構成された駆動条件入力装置。
【請求項６】
請求項５に記載の駆動条件入力装置において、前記冷媒を貯蔵した冷媒容器(３０)を使用者がその身体に装着することができる冷媒容器装着手段(３１)を備え、前記駆動条件入力装置(１)によって設定された駆動条件に基づいてポンプによって前記冷媒容器(３０)内の前記冷媒を前記冷却通路(２９)において循環させることで前記冷却服(２８の冷却機能を実現した駆動条件入力装置。
【請求項７】
請求項１〜請求項４のいずれか一つに記載の駆動条件入力装置において、植物などの対象物(３５)に水を給水するための給水装置(３２)に搭載され、前記駆動条件入力装置(１)によって設定された駆動条件によってポンプなどの前記駆動手段(６)を動作させる駆動条件入力装置。
【請求項８】
請求項１〜請求項４のいずれか一つに記載の駆動条件入力装置において、空気調和機(４２)の外部吸入空気に対して微小水滴を噴霧する位置に設けられた噴霧ノズル(４３)を備えた噴霧装置(４５)に搭載され、前記噴霧ノズル(４３)の噴霧駆動条件を設定するために使用する駆動条件入力装置。
【請求項９】
１次元コード又は２次元コードの情報コード(３)を読み取る情報コード読取手段(４)と、読み取った情報コード(３)をデコードするデコード手段(５)と、前記デコード手段(５)によって得られた駆動情報に基づいて器具(２)の種駆動手段(６)を制御する制御手段(７)とを備えた駆動条件入力装置(１)を利用した駆動条件入力システムであって、
前記駆動条件入力装置(１)は、前記駆動手段(６)によって所定の機能を実現する器具(２)に予め搭載されており、
前記情報コード(３)は前記器具(２)の駆動条件を表現するものとして予めコード化されており、
前記情報コード読取手段(４)は前記情報コード(３)を光学的に読み取るものであり、
前記器具(２)の使用者が保有する携帯ネットワーク端末(１７)が前記情報コード(３)を表示できる表示画面(２４を備えており、
前記携帯ネットワーク端末(１７)又はネットワーク(１６)上の前記駆動条件の設定サーバ(１８)は使用者の入力された駆動条件に対応した前記情報コード(３)を生成する設定プログラム手段(１９)を有しており、
前記器具(２)の使用者が前記携帯ネットワーク端末(１７)を用いて前記設定プログラム手段(１９)によって前記器具(２)の駆動条件を入力したことに応答して、前記携帯ネットワーク端末(１７)又は前記設定サーバ(１８)は、前記携帯ネットワーク端末(１７) の表示画面(２４)に、前記情報コード(３)を表示することを特徴とする駆動条件入力システム。
【請求項１０】
請求項９に記載の駆動条件入力システムにおいて、前記器具(２)、前記駆動条件入力装置(１)の少なくとも一方に前記設定サーバ(１８)の前記ネットワーク(１６)上のアドレスに導く案内用情報コード(２３)が設けてあり、使用者の前記携帯ネットワーク端末(１７)によって前記案内用情報コード(２３)を認識することによって前記携帯ネットワーク端末(１７)を前記設定サーバ(１８)に接続する駆動条件入力システム。
【請求項１１】
請求項９〜請求項１０のいずれか一つに記載の駆動条件入力システムにおいて、前記器具(２)側に状況把握センサ(８)を設け、前記状況把握センサ(８)が検出した前記器具(２側の状況把握情報に基づいて、前記設定プログラム手段(１９)が前記情報コード(３)を生成する駆動条件入力システム。
【発明の詳細な説明】
【技術分野】
【０００１】
本発明は、比較的安価な器具への駆動条件入力装置及び器具への駆動条件入力システムに関する。
【背景技術】
【０００２】
従来から、ＱＲコード（登録商標）等の２次元コードをインターネットサイトへのアクセス情報や認証などに使用することが提案されている。
例えば、特許文献１には、不正な使用を回避するとともに販売促進を行うためにＱＲコードを利用したクーポン管理システムが提案されている。
このクーポン管理システムでは、クーポン券の認証を、施設のスタッフが施設側端末装置を操作して認証させているので、確実に認証を行うことができ、クーポン券の正当性を確認することができ、また、ユーザは印刷したクーポン券を施設に持参するだけなので、施設にて所望する便益を気軽に受けることができる利点があると記載されている。
【０００３】
また、特許文献２には、商品の選定から注文までを迅速に実現する商品受発注システムを提供するために、携帯端末を、電子商取引システムの端末として利用するシステムが開示されている。この受発注サーバ及び商品受発注システムでは、商品の商品コードをパラメータに含むＵＲＬをエンコードした二次元コードを用いて、瞬時の商品選定作業を可能にすると記載されている。
【先行技術文献】
【特許文献】
【０００４】
【特許文献１】特開２０１１−１４５９９７
【特許文献２】特開２０１０−０２６６５９
【発明の開示】
【発明が解決しようとする課題】
【０００５】
一方、家電、情報機器などには制御パネルが設けられ、使用者の希望に沿う駆動条件（設定条件を含む）で家電や情報機器を操作するようになっている。
しかしながら、家電、情報機器が高度化するにしたがって、制御パネルが複雑化し、制御パネルの入力手順や設定事項も多くなってきており、購入した消費者や機器を扱うオペレータの設定作業が煩雑になってきているのが現状である。即ち、消費者やオペレータは設定マニュアルを詳細に読んで個々の希望に合致する駆動条件を制御パネルから入力しなければならず、非常に面倒であった。
【０００６】
また、複雑な設定事項を視覚的に分かりやすく入力することができるように液晶表示装置等を搭載することは、制御パネルの製造コストを増大させることになる。それを解決するためにＵＳＢメモリ等の携帯記憶装置に駆動条件データを記憶して、上記器具等に接続する方法が考えられるが、器具自体がＵＳＢメモリ等を認識するシステムが必要になる。また、仮に、コストをかけて公知のコンピュータシステムのオペレーティングシステム（ＯＳ）に対応したとしても、頻繁に行われるＯＳのバージョンアップに対応することが難しくなる課題がある。このような事情から、コンピュータシステムのサポート期間が経過するとハード面及びソフト面において対応できないという課題が発生するのである。
また、携帯記憶装置に駆動条件を記憶するには、当該携帯記憶装置に接続できるパーソナルコンピュータを消費者やオペレータが保有していることが前提になり、ここでも携帯記憶装置をパーソナルコンピュータに接続できるか否かという問題が生じて、使用できる人が限られてしまうという課題もある。
【０００７】
そして本発明が解決すべき最も大きな課題としては、上記高価で高機能な制御パネルは安価な器具にはコスト的に採用できないとともに、安価な器具であっても複雑な駆動条件を設定することが必要とされる要望が現実にあるということである。
例えば、複雑な駆動条件を設定する制御パネルを製造するコストと、器具の製造コストが同じぐらいになってしまう安価な器具の場合、複雑な駆動条件を設定する制御パネルを設けることがコスト的にできないのである。
また、安価な器具に対して仮に、駆動条件設定のプログラム、ファームウエア及び接続機器等が動作する環境を採用したとしても、長期間に亘って採用したＯＳのバージョンアップに対応して上記プログラム、及びファームウエア等を更新し続けることは安価な器具を提供するメーカ側からすると大変な負担となる現実がある。
【０００８】
本発明の目的は上記従来技術の課題を解決して、器具への駆動条件入力システムを提供することにある。
具体的な目的の一例を示すと、以下の通りである。
（Ａ）複雑な入力を行える高価な制御パネルを設けることがコスト的に難しい比較的安価な器具への駆動条件の入力を行う場合に、複雑な駆動条件を確実かつ安価に必要な情報を入力できる器具への駆動条件入力装置及び駆動条件入力システムを提供する。
（Ｂ）コンピュータシステムや接続機器の種類やバージョンアップ等のメンテナンス作業から解放され、長期間に亘って器具の駆動条件の入力を良好に行える器具への駆動条件入力装置及び駆動条件入力システムを提供する。
（ｃ）安価な器具に複雑な設定を行う必要がある場合に、オペレータ側から見て簡単に駆動条件の情報を入力できるようにする。
なお、上記に記載した以外の発明の課題、その解決手段及びその効果は、後述する明細書内の記載において詳しく説明する。
【課題を解決するための手段】
【０００９】
本発明は多面的に表現できるが、例えば、代表的なものを挙げると、次のように構成したものである。なお、下記各発明において、各符号は後述する実施形態との対応関係を分かりやすくするために一例として示したものであり、本発明の各構成要素は、実施形態に記載した符号に係る構成に限定されないことは言うまでもない。
【００１０】
本発明の器具への駆動条件入力装置は、１次元コード又は２次元コードの情報コード３を読み取る情報コード読取手段４と、読み取った情報コード３をデコードするデコード手段５と、前記デコード手段５によって得られた駆動情報に基づいて器具２の駆動手段６を制御する制御手段７と、を備えた器具２の駆動条件入力装置１であって、
前記駆動条件入力装置１は、前記駆動手段６によって所定の機能を実現する器具２に予め搭載されており、
前記情報コード３は前記駆動手段６によって定められる前記器具２の駆動条件を表現するものとして予めコード化されており、
前記情報コード読取手段４は前記情報コード３を光学的に読み取るものであることを特徴とする。
上記「駆動条件」の文言は、器具の初期設定条件や運転条件など器具の動作に必要な全ての設定及び運転条件を含む意味で用いている。また、「器具」とは、複雑な駆動条件を入力できる高機能な制御パネルをコストなどの要因で設けることが難しい機器、装置等の意味で用いている。
この構成であれば、１次元コード又は２次元コードによって表現される情報コードは器具の駆動条件を表現するものとして予めコード化されているので、情報コードを読み取ることができれば、複雑な設定条件などの駆動条件を簡単に入力することができる。また、駆動条件入力装置は、駆動手段によって所定の機能を実現する器具に予め搭載されているので、オペレーティングシステム、バージョンアップや接続機器の種類等に全く影響を受けず、確実にコード化された制御情報を読み取ることができ、安価に情報入力を実現できる。
さらに、情報コード読取手段は、情報コード設定を光学的に読み取るので、情報コード読取手段が読み取れる形、例えば紙にコードを印刷することや、携帯端末の表示画面に情報コードを表示するなどの形態で提示できるので、一般消費者が持つ既存の情報機器、例えば携帯電話やスマートフォンを用いて手軽に駆動条件の情報を入力することができる。
【００１１】
前記情報コード読取手段４をユニット化した情報読取ユニット手段１０を有し、前記情報読取ユニット手段１０が前記器具２から着脱自在に構成されているようにすることもできる。
この構成であれば、情報読取ユニット手段を器具から着脱自在に構成されているので、器具の大きさや設置状況にかかわらず、表示画面等に提示された情報コードを良好に読み取ることができる。
つまり、情報コード読取手段が器具に固定され一体化されている構成であれば、器具の光学的読取位置に提示された情報コードを位置に持っていくことが必要になり、面倒であり、この構成によって情報コードの読取が不良になる可能性を低減することができる。
【００１２】
前記器具２側に状況把握センサ８を設け、前記制御手段７が前記駆動条件６を制御する場合に、前記状況把握センサ８が検出した状況把握情報を利用することもできる。
この構成であれば、状況把握センサが検出した状況把握情報に基づいて、制御手段が駆動条件を制御するので、器具側の状況に対応した駆動条件の設定を行うことができる。
前記情報読取ユニット手段１０が携帯蓄電池や乾電池等の携帯型電池によって駆動される構成にすることもできる。
この構成であれば、家庭などに供給されるＡＣ電源コンセントを用いる形態に比べて設置の自由度を向上させることができる。特に、情報読取ユニット手段が器具から着脱自在に構成されているので、ＡＣ電源コンセントや他の各種端末から電源を供給することが必要でなく、移動の自由度を高くできる。
【００１３】
冷却服２８に設けられた冷却通路２９に冷媒を流す構成の冷却服２８に採用され、前記冷却通路２９の流れを制御するポンプなどの駆動手段６に駆動条件を設定するように構成することもできる。
この構成であれば、例えば、水を冷却通路に流して冷却する冷却服を採用する場合に、ポンプ等の駆動条件を変える場合に、複雑なポンプの流量、駆動時間などの駆動条件を細かく設定することが簡単に行える。
前記冷媒を貯蔵した冷媒容器３０を使用者がその身体に装着することができる冷媒容器装着手段３１を備え、前記駆動条件入力装置１によって設定された駆動条件に基づいてポンプによって前記冷媒容器３０内の前記冷媒を前記冷却通路２９において循環させることで前記冷却服２８の冷却機能を実現することもできる。
この構成であれば、冷媒容器内の冷媒を循環させるように冷却服が構成され、駆動条件入力装置によって周囲環境や使用者の体感温度を考慮して、簡単に複雑な冷却駆動条件を設定できる。
【００１４】
植物などの対象物３５に水を給水するための給水装置３２に搭載され、前記駆動条件入力装置１によって設定された駆動条件によってポンプなどの前記駆動手段６を動作させることもできる。
この構成であれば、例えば、使用者の希望に従って、ポンプ等の駆動条件を変える場合に、複雑なポンプ等の流量、駆動時間などの駆動条件を細かく設定することが簡単に行える。
空気調和機４２の外部吸入空気に対して微小水滴を噴霧する位置に設けられた噴霧ノズル４３を備えた噴霧装置４５に搭載され、前記噴霧ノズル４３の噴霧駆動条件を設定するために使用することもできる。
この構成であれば、空気調和機の外部吸入空気に対して微小水滴を噴霧することによって気化熱の原理によって放熱を促進して空気調和機の消費電力を省力化する場合に、複雑な駆動条件を簡単な構成で設定することができる。
【００１５】
本発明の器具への駆動条件入力システムは、１次元コード又は２次元コードの情報コード３を読み取る情報コード読取手段４と、読み取った情報コード３をデコードするデコード手段５と、前記デコード手段５によって得られた駆動情報に基づいて器具２の種駆動手段６を制御する制御手段７とを備えた駆動条件入力装置１を利用した駆動条件入力システムであって、
前記駆動条件入力装置１は、前記駆動手段６によって所定の機能を実現する器具２に予め搭載されており、
前記情報コード３は前記器具２の駆動条件を表現するものとして予めコード化されており、
前記情報コード読取手段４は前記情報コード３を光学的に読み取るものであり、
前記器具２の使用者が保有する携帯ネットワーク端末１７が前記情報コード３を表示できる表示画面２４を備えており、
前記携帯ネットワーク端末１７又はネットワーク１６上の前記駆動条件の設定サーバ１８は使用者の入力された駆動条件に対応した前記情報コード３を生成する設定プログラム手段１９を有しており、
前記器具２の使用者が前記携帯ネットワーク端末１７を用いて前記設定プログラム手段１９によって前記器具２の駆動条件を入力したことに応答して、前記携帯ネットワーク端末１７又は前記設定サーバ１８は、前記携帯ネットワーク端末１７の表示画面２４に、前記情報コード３を表示することを特徴とする。
【００１６】
この構成であれば、情報コードは器具の駆動条件を表現するものとして予めコード化されているので、情報コードを読み取ることができれば、複雑な設定条件などの駆動条件を簡単に入力することができる。また、駆動条件入力装置は、駆動手段によって所定の機能を実現する器具に予め搭載されているので、オペレーティングシステム、バージョンアップや接続機器の種類等に全く影響を受けず、確実にコード化された制御情報を読み取ることができ、安価に情報読取を実現できる。
さらに、情報コード読取手段は、情報コード設定を光学的に読み取るので、情報コード読取手段が読み取れる形、携帯端末の表示画面に情報コードを表示する形態で提示できるので、一般人が持つ既存の情報機器、例えば携帯電話等で安価な器具に手軽に駆動条件を入力することができる。
さらに、設定プログラム手段によって複雑な駆動条件を使用者が分かりやすい形態（例えば、対話型入力など）で入力できるように構成することができる。
【００１７】
前記器具２、前記駆動条件入力装置１の少なくとも一方に前記設定サーバ１８の前記ネットワーク１６上のアドレスに導く案内用情報コード２３が設けてあり、使用者の前記携帯ネットワーク端末１７によって前記案内用情報コード２３を認識することによって前記携帯ネットワーク端末１７を前記設定サーバ１８に接続することもできる。
この構成であれば、使用者が通常、保有している携帯電話やスマートフォンなどの携帯ネットワーク端末を用いて、手軽かつ安価に器具に駆動条件を設定できる。
前記器具２側に状況把握センサ８を設け、前記状況把握センサ８が検出した前記器具２側の状況把握情報に基づいて、前記設定プログラム手段１９が前記情報コード３を生成することもできる。
この構成であれば、状況把握センサが器具側の状況把握情報に基づいて情報コードの内容を生成するので、器具の周囲環境などの状況に応じて情報コードの内容を生成することができ、器具側の周辺状況に対応した的確に駆動条件を設定することができる。
【発明の効果】
【００１８】
以上説明したように、本発明であれば、複雑な入力を行える高価な制御パネルを設けることがコスト的に難しい比較的安価な器具への駆動条件の入力を行う場合に、複雑な駆動条件を確実かつ安価に必要な情報を入力できる器具への駆動条件入力装置及び駆動条件入力システムを提供できる。
コンピュータシステムや接続機器の種類やバージョンアップ等のメンテナンス作業から解放され、長期間に亘って器具の駆動条件の入力を良好に行える。
また、安価な器具に複雑な設定を行う必要がある場合に、オペレータ側から見て簡単に駆動条件の情報を入力できる。
【図面の簡単な説明】
【００１９】
【図１】本発明の第１実施形態を示す駆動条件入力装置の概略ブロック図である。
【図２】本発明の駆動条件入力装置の一例を示す図であり、情報読取ユニット部の構成を説明するための図である。
【図３】本発明の第１実施形態において情報コードを携帯ネットワーク端末に表示して読み取る様子を示す図である。
【図４】本発明の第１実施形態において紙等に印刷した情報コードの一例を示した図である。
【図５】本発明の第１実施形態において設定サーバを用いたシステム構成を説明するための図である。
【図６】本発明の第１実施形態において携帯ネットワーク端末のアプリケーションとして実施する構成を説明するための図である。
【図７】本発明の第１実施形態において設定サーバ又は携帯ネットワーク端末のアプリケーションによって提示される設定画面の一例を示す図である。
【図８】本発明の第１実施形態において設定サーバが行う処理の一例を示すフローチャートである。
【図９】本発明の第１実施形態において携帯ネットワーク端末行う処理の一例を示すフローチャートである。
【図１０】本発明の第２実施形態において冷却服に駆動条件入力装置を適用した構成を示す図である。
【図１１】本発明の第３実施形態において給水装置に駆動条件入力装置を適用した構成を示すブロック図である。
【図１２】本発明の第４実施形態において噴霧装置に駆動条件入力装置を適用した構成を示すブロック図である。
【発明を実施するための形態】
【００２０】
［第１実施形態］
以下、本発明に係る第１実施形態について、図面に基づき説明する。
図１〜図９に示すように、本実施形態に係る駆動条件入力装置１及び駆動条件入力システムは、駆動条件入力装置１と、その駆動条件入力装置１が搭載される器具２と、駆動条件設定シート１５などの紙又は表示画面２４等に提示される駆動条件を示した情報コード３を少なくとも備えている。
駆動条件入力装置１は、バーコードのような１次元コード又はＱＲコード（登録商標）のような２次元コードに係る情報コード３を読み取る情報コード読取部４と、読み取った情報コード３をデコードするデコード部５と、デコード部５によって得られた駆動条件情報に基づいて器具２の各種の駆動部６を制御する制御部７とを備えている。
器具２に設けられる駆動部６としては、器具２の所定の動作を実現するポンプ、スイッチ等の駆動装置で構成される。
図１に示すように、駆動条件入力装置１の情報読取は、光学的に情報コード３を読み取ることができるように構成されており、通常はレンズ部１３と画像読取センサ１４を含んで構成される。
このように情報コード３を器具２側に設けられた情報コード読取部４で光学的に読み取るようにしたことを本実施形態の一特徴としている。
【００２１】
必要により駆動条件入力装置１には状況把握センサ８と電源部９が設けられる。状況把握センサ８は駆動条件入力装置１内に設ける形態のみならず、器具２の状況を把握する好ましい位置に設ける形態を採用してもよい。
電源部９は一般には蓄電池や乾電池が使用される。しかし、必要に応じて家庭などに供給される通常のＡＣ電源や携帯端末等から各種コードによって供給を受ける電源で構成することを除外するものではない。
【００２２】
図２に示すように駆動条件入力装置１は、好ましくは、器具２から着脱できるように情報読取ユニット部１０を有している。
更に詳しく説明すると、少なくとも情報コード読取部４をユニット化することで、情報読取ユニット部１０を手に持つことができ、図３に示すように提示された２次元コード３等を読み取りやすくなる。また、情報読取ユニット部１０の所定箇所には読取動作を行うことを指示するスイッチ１１が設けてある。
また、情報読取ユニット部１０内に独立して電源を供給できる電源部９が搭載される構成が好ましい。その理由は着脱自在に構成された情報読取ユニット部１０が単独で情報コード３を読み取れるように構成するためである。つまり、電源コードによって移動が制限される構成は採用する可能性はあるものの、できれば自由に動くことができる構成が好ましいからである。情報読取ユニット部１０には例えば、ＵＳＢ電源、ＵＳＢ携帯充電バッテリーなどの他の電源を供給できる端子を設けるように構成してある。この場合は、乾電池等の電源は使用できない構成とする。
【００２３】
図２に示す構成では、情報読取ユニット部１０は、制御基板部３７と読取ボックス部３８とを有している。
読取ボックス部３８内には、乾電池等の電源部９と情報コード読取部４とが収容されている。
情報読取ユニット部１０にはポンプユニット１２への接続端子３９が設けられている。状況把握センサ８などが情報読取ユニット部１０外にある場合には、状況把握センサ８への接続端子やコード（ともに図示せす）が設けられる。
図２に示されている構成は、図１０において後述するように、冷却服２８の冷却通路２９内に流す水を循環させるポンプユニット１２を示している。そして、ポンプユニット１２内のポンプ（図示せず）の駆動条件を変えることによって冷却通路２９を流れる水量や時間間隔等を詳細に設定することができるように構成してある。
【００２４】
図４、図５、図６に示すように、本実施形態に係る駆動条件入力システムは少なくとも３つの形態を取り得る。
最も簡単に実施できる構成は、図４に示すように、ＱＲコードなどの情報コード３を設定する駆動条件に対応して紙やシートに印刷して、駆動条件設定シート１５（複数のシートを有する設定ノートも含む）として器具２に添付することである。
この多数の情報コード３は使用者が駆動する器具２の利用頻度に応じてその種類が設定されているので、利用者は多数の設定条件から該当する情報コード３を読み取れば、器具２に駆動条件を設定できる。
つまり、器具２の目的における使用頻度を考慮して標準的に使用される入力情報に対応する情報コードが提供されているので、最も設定する可能性が多いものから提示されることになるので、使用者に取って使い勝手が良いものとすることができる。
また、図４に示すように、必要であれば設定項目Ａ，設定項目Ｂ，…というように、設定項目毎に選択していく構成を採用することもでき、この構成であると極めて多くの複雑な駆動条件を設定することが可能になる。
【００２５】
図５、図６はインターネットなどのネットワーク１６に接続できる携帯ネットワーク端末１７の液晶などの表示画面２４に使用者の希望に応じた情報コード３を表示する方式である。
この場合、図５に示すシステムでは設定サーバ１８がネットワーク１６上に設けられ、設定サーバ１８の設定プログラム部１９が使用者の希望に合致した駆動条件を示す情報コード３を生成する。
具体的には、設定プログラム部１９は、一例として図７に示すようなポンプ駆動条件の設定画面４０を表示する設定画面入力部２０と、使用者によって入力された設定事項に基づいて対応する駆動条件の情報コードを生成する情報コード生成部２１とを備えている。
また、図６に示す構成は、設定サーバ１８を設けず、携帯ネットワーク端末１７のコンピュータで動作する設定プログラム部１９をダウンロードするダウンロードサーバ２２を設け、携帯ネットワーク端末１７によって制御されるアプリケーションソフトとして、設定プログラム部１９を動作させるようにする形態である。
【００２６】
図５に示す構成の駆動条件入力装置１及び駆動条件入力システムの設定サーバ１８の動作を図８に示すフローチャートに基づいて他の各図を参照しつつ説明する。
まず、器具２、駆動条件入力装置１の少なくとも一方に設けられた案内用情報コード２３を携帯ネットワーク端末１７のカメラ機能によって読み取ることによって、設定サーバ１８にアクセスしたことを検知する（図８のステップＳＰ１）。
次いで、携帯ネットワーク端末１７の使用者等に関する情報を検知するとともに、案内用情報コード２３の情報に基づいて器具２の種類、バージョンなどを把握して、その器具２に搭載された駆動条件入力装置１が読み取れる情報コード３を設定サーバ１８が自動的に把握する（図８のステップＳＰ２）。
次いで、必要に応じて、状況把握センサ８から温度、湿度、スイッチング回数などの状況把握情報を検知する（図８のステップＳＰ３）。
次いで、設定画面入力部２０が、図７に示すような設定画面４０を表示して、使用者が希望する駆動条件に係る入力情報を検知する（図８のステップＳＰ４）。
そして、情報コード生成部２１が、器具２の種類等を考慮して、使用者の希望する駆動条件に合致した情報コード３を生成し（図８のステップＳＰ５）、携帯ネットワーク端末１７の表示画面２４上に送信して表示する（図８のステップＳＰ６）。
【００２７】
上記設定サーバ１８による動作についてさらに説明する。
状況把握センサ８は器具２の種類によって、各種の形態が採用できる。状況とは周囲の温度、湿度、騒音レベル、振動、電池の残量や駆動部６の動作履歴等の周囲情報であり、それらを検出するための公知のセンサ手段が採用可能である。
冷却水を供給するポンプユニット１２として器具２が構成されている場合であれば、状況把握センサ８としての温度センサを設けて、冷却に影響を及ぼす周囲温度や服温度が高いか低いかということを検出し、制御情報に利用することが好ましい。
【００２８】
図７に示す駆動条件の設定画面４０は、温度センサ等の状況把握センサ８の出力を検出して、その検出温度に応じた制限を行うか否かという状況把握項目２５と、ポンプが循環させる水量を設定する水量設定項目２６と、ポンプの駆動時間を設定する駆動時間設定項目２７とが設けられている形態が一例として示してある。
そして、設定画面４０には、６０秒毎、６０分毎、２４時間などのポンプ駆動時間と流量を設定する設定アイコン、入力欄、カットアンドペースト機能、範囲指定手段等の入力手段４１が設けられている。
この他にも、暑いと感じる使用者の感知レベルを２段階〜５段階（ｎ段階）の複数の段階に応じて設定するとともに、それらの各段階を使用者各人が微調整できるように設定項目を設けることができる。この使用者の感知レベルを使用する構成は、図１に示す駆動部６がポンプ以外の各種モータ、スイッチ手段などの各種駆動装置であっても同様に採用できる。
なお、図６に示すように設定プログラム部１９を携帯ネットワーク端末１７のアプリケーションソフトとして実施する場合も同様の機能を実現することが可能であることは容易に理解できる。
【００２９】
次に、上記図５に示す構成の駆動条件入力装置１及び駆動条件入力システムの携帯ネットワーク端末１７の動作を図９に示すフローチャートに基づいて他の各図を参照しつつ説明する。
まず、使用者が携帯ネットワーク端末１７の例えばカメラ機能を用いて、器具２の案内用情報コード２３を撮影することによって設定サーバ１８にアクセスし（図９のステップＳＰ１１）、表示された図７に示すような設定画面４０から駆動条件を示す使用者の入力情報を携帯ネットワーク端末１７が検知して、その入力情報を設定サーバ１８に送信する（図９のステップＳＰ１２）。
そして、設定サーバ１８が入力情報に基づいて駆動条件に合致する情報コード３を生成して送信したことに応答して、携帯ネットワーク端末１７がその情報コード３をその表示画面２４に表示する（図９のステップＳＰ１３）。
ここで、上記携帯ネットワーク端末１７が紙などへの印刷手段を備えている場合は、その印刷手段を使用して情報コード３を使用者に提示するように構成してもよい。
【００３０】
この第１実施形態に係る構成であれば、以下の特有の効果を有する。
まず、最も本質的かつ基本的な効果として、高価な制御パネルやコンピュータを搭載できない安価な器具においても複雑な駆動条件を安価に設定できる。
器具２に搭載された駆動条件入力装置１が認識できる情報コード３であれば、高価な制御パネルに採用されていたオペレーションシステムの種類、バージョン、接続機器の種類等の変更に全く依存せず、安価に長期間に亘って駆動条件を設定できる。
携帯電話等の携帯ネットワーク端末１７によってどこでも設定サーバ１８やダウンロードサーバ２２にアクセスできるので、ＱＲコードなどの情報コード３を印刷した駆動条件設定シート１５等を保持していなくても器具２の駆動条件を設定できる。
また、設定サーバ１８の設定プログラム部１９を更新、改良することで、器具２の駆動条件の設定を、使用者の不満や要望に応じてリアルタイムに変更でき、器具２の販売後においても長期間に亘って良好な駆動条件の設定を実現できる。
【００３１】
［第２実施形態］
図１０に示す本第２実施形態は、本発明に係る駆動条件入力装置を冷却服２８に適用した実施形態である。
この実施形態の特徴は、駆動条件入力装置１を、冷却通路２９に冷媒を流す構成の冷却服２８のポンプユニット１２に採用した点にある。冷媒としては水が採用されることが多い。また、この駆動条件入力装置１は、冷却通路２９の流れを制御するポンプなどの駆動装置に駆動条件を設定するため使用される。
【００３２】
また、他の特徴としては、冷媒を貯蔵した冷媒容器３０を使用者が装着することができる冷媒容器装着部３１を備えていることである。図１０に示す構成では、冷媒容器３０としてのペットボトルのような水容器３０が採用してある。また、その水容器３０を背負える形状の冷媒容器装着部３１を有している。冷媒容器装着部３１は例えば、リュックサック形やベスト形の装着できる形状に構成され、使用者が背負える形で使用されることが好ましい。
冷媒容器装着部３１の代わりに、冷却服２８にポケットを設けるなど各種の方法で、冷却服２８自体に冷媒容器装着部３１を設ける構成も採用することができる。
この駆動条件入力装置１の構成であれば、夏の暑い時期や高温環境で作業する使用者に対して、使用者の要望にあった複雑なポンプ駆動条件、即ち、最適な冷却条件を安価に設定することができる。この場合においても温度センサである状況把握センサ８（図１参照）を設けて、駆動条件を適切な範囲に限定することもできる。
【００３３】
［第３実施形態］
図１１に示す本第３実施形態は、本発明に係る駆動条件入力装置１を給水装置３２に適用した実施形態である。
図１１に示すように、この実施形態に係る給水装置３２は、貯水タンク３３と駆動条件入力装置１が搭載されたポンプユニット３４と、貯水タンク３３から対象物３５に水を供給する給水管３６を少なくとも備えている。
対象物３５としては植物への供給水や動物への飲料水が例示できる。対象物３５は各種装置などであっても良い。
この駆動条件入力装置１の構成であれば、例えば、対象物３５が必要とする水に応じて、使用者の要望にあった複雑なポンプ駆動条件を安価に設定することができる。
【００３４】
［第４実施形態］
図１２に示す本第４実施形態は、本発明に係る駆動条件入力装置１を噴霧装置４５に適用した実施形態である。
図１２に示すように、この実施形態に係る噴霧装置４５は、貯水タンク３３と駆動条件入力装置１が搭載されたポンプユニット３４と、貯水タンク３３から噴霧ノズル４３に水を供給する給水管３６を少なくとも備えている。
そして、器具２を噴霧装置４５として構成する場合は、空気調和機４２（エアコン）の外部空気吸入口４４に対して微小水滴を噴霧する位置に設けられた噴霧ノズル４３を備え、空気調和機４２の消費電力を省力化するために、噴霧ノズル４３の駆動条件を駆動条件入力装置１によって設定するように構成してある。
この場合、第１実施形態に示した構成の場合は、状況把握センサ（図示せず）として、空気調和機４２の外部吸入空気の温度を検出する温度センサを設け、吸入空気温度がある温度以上の場合にのみ、噴霧ノズル４３からの噴霧を行うように構成することもできる。
【００３５】
本発明は上記実施形態以外にも本発明の要旨を変更しない範囲で種々の変形を行うことが可能である。
（１）前記実施形態では情報読取ユニット部１０が器具２から着脱自在に構成されている場合を示したが、本発明は、器具２に一体的に設けられた駆動条件入力装置１の構成を除外するものではない。
また、小型の器具２である場合は、その器具本体自体を情報コード３を読み取る装置として使用することができる。なお、器具２と駆動条件入力装置１が一体的に設けられた構成では、紙や携帯ネットワーク端末１７に提示された情報コード３を読み取れるように器具２の側面や上面に読取領域を設定することが好ましい。
（２）前記実施形態では駆動部６としてポンプを例にとり説明したが、本発明に係る駆動条件入力装置１及び駆動条件入力システムは器具２のシーケンス制御等の各種制御において、各種の駆動部６をその構成要素として、器具２の使用用途に対応した複雑な駆動条件の設定に採用できることは明らかである。例えば、多種多様なモータなどの各種の駆動部６に対応するスイッチのＯＮ，ＯＦＦ時間を設定するだけでも複雑な駆動条件を表す情報コード３を生成できることは容易に理解できる。
【符号の説明】
【００３６】
１…駆動条件入力装置
２…器具
３…情報コード
４…情報コード読取部（情報コード読取手段）
５…デコード部（デコード手段）
６…駆動部（駆動手段）
７…制御部（制御手段）
８…状況把握センサ
１０…情報読取ユニット部（情報読取ユニット手段）
１７…携帯ネットワーク端末
１８…設定サーバ
１９…設定プログラム部（設定プログラム手段）
２３…案内用情報コード
２４…表示画面
２８…冷却服
２９…冷却通路
３０…冷媒容器
３１…冷媒容器装着部（冷媒容器装着手段）
３２…給水装置
４２…空気調和機
４３…噴霧ノズル
４５…噴霧装置
【図１】
2015230661.tif 000003
【図２】
2015230661.tif 000004
【図３】
2015230661.tif 000005
【図４】
2015230661.tif 000006
【図５】
2015230661.tif 000007
【図６】
2015230661.tif 000008
【図７】
2015230661.tif 000009
【図８】
2015230661.tif 000010
【図９】
2015230661.tif 000011
【図１０】
2015230661.tif 000012
【図１１】
2015230661.tif 000013
【図１２】
2015230661.tif 000014